(57)【特許請求の範囲】
【請求項１】
便器と、該便器上に配設された温水洗浄手段を有する本体と、該本体側部の袖部にスイッチボタン群が配設されたスイッチパネルと、便座と、人体検知センサとからなる人体局部洗浄装置において、
前記袖部上面には袖部前方から後方にかけて高くなる段部が形成され、
該段部前方には人体検知センサ収納部が形成され、
該センサ収納部には人体検知センサが内蔵され、
前記段部前方には暗色の透明樹脂よりなる断面略逆Ｌ字状に形成されたセンサ窓が前記段部の形状に沿って形成されている、ことを特徴とする人体局部洗浄装置。
【請求項２】
前記センサ窓の前方面は前記本体の前後方向の床面に対し傾斜し、前記センサ窓の側面は略垂直状に形成されている、ことを特徴とする請求項１に記載の人体局部洗浄装置。
【発明の詳細な説明】
【０００１】
【産業上の利用分野】
本発明は、洗浄ノズルを有した人体局部洗浄装置に関する。
【０００２】
【従来の技術】
従来より、人体局部洗浄装置に人体検知機能を持たせて、便蓋や便座を自動開閉する等の装置がある。この装置として、特開昭６１−１０９８３８号公報がある。この装置は人体検知センサが壁等に設けられており、人体局部洗浄装置本体と人体検知センサが別体である。しかしながら、便蓋が開状態のとき、使用者が人体局部洗浄装置本体の前にきた場合、便蓋により人体検知センサから発光される赤外線が遮られ、人体検知機能が果たされないといった問題点があった。
【０００３】
この問題点を解決する装置として、図６に示すように人体局部洗浄装置の袖部Ｄに操作部Ｓと同一面に人体検知センサＨを配設した技術が開示されている。（なお図６は操作部と人体検知センサが配設された袖部の縦断面図である。）
【０００４】
【発明が解決しようとする課題】
しかしながら、この技術のように操作部と袖部とが同一意匠面上にすると、前方からの人の接近を検知するセンサの目的上、人体検知センサは前方に向けて発光するので、操作部をトイレの床に対してある程度の傾ける必要が生じてくるが、操作部は着座状態での視認性を考慮すると、床に対し平行状態に近い形状が、有利である。このため、同一意匠面に操作部と人体検知センサを配設する場合は、双方を理想的な角度に設定することが困難であった。
【０００５】
また人体検知センサのセンサ窓が操作部と同じように床に対し略平行状態であると、ホコリや水等によりセンサ性能の低下するといった問題点があった。
【０００６】
本発明は上記課題を解決したもので、操作部の視認性を損なうことなく、袖部に人体検知センサを配設することができ、かつセンサ窓が床に対し垂直に近づけることにより、ホコリや水によるセンサ性能の低下を少なくなる人体局部洗浄装置を提供するものである。
【０００７】
【課題を解決するための手段】
上記技術的課題を解決するために、本発明の請求項１において講じた技術的手段（以下、第１の技術的手段と称する。）は、便器と、該便器上に配設された温水洗浄手段を有する本体と、該本体側部の袖部にスイッチボタン群が配設されたスイッチパネルと、便座と、人体検知センサとからなる人体局部洗浄装置において、前記袖部上面には袖部前方から後方にかけて高くなる段部が形成され、該段部前方には人体検知センサ収納部が形成され、該センサ収納部には人体検知センサが内蔵され、前記段部前方には暗色の透明樹脂よりなる断面略逆Ｌ字状に形成されたセンサ窓が前記段部の形状に沿って形成されている、ことを特徴とする人体局部洗浄装置である。
【０００８】
上記第１の技術的手段による効果は、以下のようである。
【０００９】
即ち、操作部の視認性を損なうことなく、袖部に人体検知センサを配設することができ、かつセンサ窓が床に対し垂直に近づけることにより、ホコリや水によるセンサ性能の低下を少なくなる人体局部洗浄装置を提供するといった効果を有する。
【００１０】
上記技術的課題を解決するために、本発明の請求項２において講じた技術的手段（以下、第２の技術的手段と称する。）は、前記センサ窓の前方面は前記本体の前後方向の床面に対し傾斜し、前記センサ窓の側面は略垂直状に形成されている、ことを特徴とする請求項１に記載の人体局部洗浄装置である。
【００１１】
上記第２の技術的手段による効果は、以下のようである。
【００１２】
ホコリや水によるセンサ性能の低下を少なくし、人体の検知を行うことができる。
【００１３】
【発明の実施の形態】
以下、本発明の実施例について、図面に基づいて説明する。
【００１４】
本例の人体局部洗浄装置１は、図１に示すごとく、少なくとも温水洗浄手段６と温風乾燥手段とを有する本体１０と、本体１０に設けた本体スイッチパネル２とよりなる。
【００１５】
上記各手段は本体スイッチパネル２により操作できるように構成してある。上記本体１０は、洗浄ノズル６１、６２等よりなる温水洗浄手段６、温風乾燥手段（図示略）を有している。また本体１０は、便座８１、便蓋８２を備え、陶器製便器８３の上方に配置してある。
【００１６】
また、図１、図２、図３に示すごとく、本体１０の側部上面には、上記本体スイッチパネル２を配置してある。
【００１７】
本体スイッチパネル２は、図２に示すごとく、肛門洗浄、ビデ洗浄、温風乾燥等の作動をストップさせるストップボタン２０、肛門洗浄用操作ボタン２１、ソフトな洗浄が可能なソフト肛門洗浄用操作ボタン（ソフトシャワーと表示）２９、ビデ洗浄用操作ボタン（チャームボタンと表示）２２、温風を吹き出させるドライボタン２３が配設されている。
【００１８】
また、洗浄の広がりを調整するためのワイド洗浄入／切ボタン２４、洗浄位置前進ボタン２５、その後退ボタン２６が配設されている。また、洗浄強さを調整する強、弱ボタン２８１、２８２からなる洗浄強さボタン２８（なお２８３は発光ダイオードにより洗浄強さを表示する）、便座の温度の高さを調整するための便座ボタン２７、シャワー等の水温を調整する温水ボタン３０が配置されている。
【００１９】
また、図２に示すごとく、本体スイッチパネル２には、ＬＥＤ（発光ダイオード）よりなる発光素子を複数配設してある。具体的に説明すると、ドライボタン２３の横には、ドライ温風の高低を３段階で表示するための３つのＬＥＤを設けてある。また便座ボタン２７の横には、温風温度の高低を表示するための３つのＬＥＤ２７１、２７２、２７３を設けてある。さらに、温水ボタン３の横には、水温表示素子としての２つのＬＥＤ３１、３２を設けてある。
【００２０】
またドライボタン２３の横には、便座の便座ボタン２７、温水ボタン３、さらには便座・便蓋の自動開閉オンーオフボタン４、ノズルそうじボタン５、節電ボタン６、冷込防止ボタン７、電源ボタン８等が略直線上に、本体１０の前後方向に配列されている。
【００２１】
本体１０の袖部１０１の前方には、使用頻度の高い第１スイッチパネル２Ａと使用頻度の低い第２スイッチパネル２ＢがＬ字形状に形成された樹脂製のシート状スイッチパネル２が配置されている。
【００２２】
先に説明したスイッチボタン群の配列は、前記スイッチパネル２の第１スイッチパネル２Ａに、スイッチボタンであるストップボタン２０をスイッチパネルの前面手前に配設する。続いて肛門洗浄用操作ボタン２１、ビデ洗浄用操作ボタン２２、温風を吹き出させるドライボタン２３が、スイッチパネルの前面手前から後面にかけて略円弧状に順次配列されている。このスイッチ群は人体局部洗浄装置を使用する場合、使用者の使用頻度が比較的高いスイッチボタンである。
【００２３】
また、第１スイッチパネル２Ａ内には、ワイド洗浄入／切ボタン２４、洗浄位置前進ボタン２５、その後退ボタン２６、洗浄強さボタン２８は、前記の円弧状に配列したスイッチボタン群の円弧枠内に配列している。このスイッチ群は先の円弧状に配列したスイッチ群よりは、比較的使用頻度の低いスイッチボタンである。
【００２４】
また、第２スイッチパネル２Ｂ内に、便座ボタン２７、シャワー等の水温を調整する温水ボタン３０、自動開閉ボタン４、そうじボタン５、冷込防止ボタン７、電源ボタン８が略直線状に配列されている。これらスイッチ群は上記のスイッチ群よりもさらに使用頻度の低いスイッチ群である。
【００２５】
ここで、本体１０の袖部１０１には手置き部１０２が本体前後方向に一体に樹脂成形により突設されている。使用者はこの手置き部１０２に手の甲を乗せて操作することが出来るようになっている。なおこの突設された手置き部１０２の空間内は、本体内の制御装置を合理的に内蔵することもできる。
【００２６】
なお、前記使用頻度の高いスイッチ群の円弧状の配列は、手置き部１０２に手の甲を乗せ、指を広げたとき、指先を連続的につないだ略円弧状の軌跡に配列している。この構成により、使用者は手置き部１０２に手の甲を乗せ、手を動かさずに操作が可能となる。
【００２７】
図４に示すように、本体１０の側部の袖部１０１上面には袖部１０１前方から後方にかけて高くなる段部１０３が形成され、該段部１０３前方には人体検知センサ収納部１０４が形成され、該センサ収納部１０４には人体検知センサＨが内蔵されている。
【００２８】
この段部１０３前方には、暗色の透明樹脂よりなる断面略逆Ｌ字状に形成されたセンサカバー５０が形成されている。
【００２９】
またセンサＨの止め付け構造は、図５に示すように基板キートップＫに設けた窪みＢにてセンサＨの光軸の方向を決め、センサＨに設けた位置固定リブＲを基板キートップＫの爪部Ｔに係合することにより、ワンタッチで取付けることができる。なおセンサＨの電気的接続は、センサＨのコネクタを基板に接続することにより機能を果たしている。
【００３０】
なおセンサＨは赤外線の発光部Ｈａと受光部Ｈｂから構成されており、受光部Ｈｂは発光部Ｈａからの赤外線の発光された漏れを防ぐために漏れ防止壁ＨｃがＬ字状に形成されている。
【００３１】
図４に示すようにこのセンサカバー５０の前方面５１は本体１０の前後方向ＰＱの床面に対し傾斜している。またセンサカバー５０の両側面５３、５３は略垂直状に形成されている。
【００３２】
人体検知センサのセンサ軸（赤外線が発光する放射方向）は、前記人体局部洗浄装置の前後方向ＰＱの床面に対し、床面と人体検知センサの角度β＝３５°の角度を有して配設されている。
【００３３】
なお人体検知センサＨの角度βは２０°〜４５°の角度範囲が好ましい。２０°より小さいと赤外線が足の間を通過してしまう可能性があり、４５°より大きいと背の低い子どもの検知ができなくなってしまう。
【００３４】
上記構成からなる人体局部洗浄装置において、人体検知センサＨにより、人体を検知すると、便蓋８２が自動的に開く作動が行われる。また人体を検知しないと、便蓋８２が自動的に閉じる作動を行う。
【００３５】
【発明の効果】
本発明は、以下の如く効果を有する。
【００３６】
即ち、操作部の視認性を損なうことなく、袖部に人体検知センサを配設することができ、かつセンサ窓が床に対し垂直に近づけることにより、ホコリや水によるセンサ性能の低下を少なくなる人体局部洗浄装置を提供するといった効果を有する。
【図面の簡単な説明】
【図１】本発明の人体局部洗浄装置の全体斜視図
【図２】本発明のスイッチパネルとスイッチ群の平面図
【図３】図１のＡ−Ａ断面図
【図４】図１のＢ−Ｂ断面図
【図５】センサの取り付け構造を示す斜視図
【図６】従来の袖部の人体局部洗浄装置前後方向断面図。
【符号の説明】
１・・・人体局部洗浄装置
２・・・スイッチパネル
１０・・・本体
８３・・・便器
８１・・・便座
Ｈ・・・人体検知センサ
１０１・・・袖部
１０３・・・段部
１０４・・・人体局部センサ収納部
【図１】
0004144055.tif 000002
【図２】
0004144055.tif 000003
【図３】
0004144055.tif 000004
【図４】
0004144055.tif 000005
【図５】
0004144055.tif 000006
【図６】
0004144055.tif 000007